【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
複数の画像を記憶する記憶手段と、
前記記憶手段に記憶される複数の画像のそれぞれに対応する縮小画像を第１の画面に表示させる制御手段と、
前記第１の画面に表示された縮小画像に対する操作を検知した位置を用いて操作対象の前記縮小画像を特定する特定手段と、
前記操作を検知した位置に応じて、前記特定された縮小画像に対応する画像を第２の画面に表示する位置を決定する決定手段と、
前記特定された縮小画像に対応する画像を、前記第２の画面の前記決定された位置に表示する表示制御手段とを備えることを特徴とする画像処理装置。
【請求項２】
前記特定された縮小画像が縦画像か横画像かを判定する縦横判定手段と、
前記第２の画面のレイアウトが縦画像又は横画像を表示可能であるかを判定する表示判定手段とを更に備え、
前記表示制御手段は、前記表示判定手段が、前記特定手段により特定された縮小画像に対応する画像を前記第２の画面のレイアウトに表示できないと判定した場合には、前記第２の画面のレイアウトを変更して前記特定された縮小画像に対応する画像を表示させることを特徴とする請求項１記載の画像処理装置。
【請求項３】
前記表示制御手段は、
前記第２の画面の現在のレイアウトが縦画像のみを表示し、前記特定手段により特定された縮小画像が横画像である場合には、前記特定された縮小画像に対応する画像を表示すべく前記第２の画面のレイアウトを変更し、
前記第２の画面のレイアウトが横画像のみを表示し、前記特定手段により特定された縮小画像が縦画像である場合には、前記特定された縮小画像に対応する画像を表示すべく前記第２の画面のレイアウトを変更することを特徴とする請求項２に記載の画像処理装置。
【請求項４】
前記表示制御手段は、
前記第２の画面のレイアウトが左右にレイアウトされた２つの縦画像を表示し、前記特定手段により特定された縮小画像が縦画像である場合には、前記縮小画像の操作を検知した位置が前記縮小画像の左右の何れであるかに応じて前記第２の画面で左右にレイアウトされた２つの縦画像の一方に前記縮小画像に対応する画像を表示し、
前記第２の画面のレイアウトが上下にレイアウトされた２つの横画像を表示し、前記特定手段により特定された縮小画像が横画像である場合には、前記縮小画像の操作を検知した位置が前記縮小画像の上下の何れかであるかに応じて前記第２の画面で上下にレイアウトされた２つの横画像の一方に前記特定された縮小画像に対応する画像を表示することを特徴とする請求項２又は請求項３に記載の画像処理装置。
【請求項５】
前記第２の画面のレイアウトの切替えを指示するための切替指示手段を更に備え、
前記表示制御手段は、前記切替指示手段の指示に応じて前記第２の画面のレイアウトを変更して表示することを特徴とする請求項１乃至請求項４のいずれか１項に記載の画像処理装置。
【請求項６】
前記表示制御手段は、前記第１の画面と前記第２の画面とを１台の表示装置の別の位置に表示することを特徴とする請求項１乃至請求項５のいずれか１項に記載の画像処理装置。
【請求項７】
前記表示制御手段は、前記第１の画面と前記第２の画面とを異なる表示装置に表示するものであり、
前記特定手段は、前記第１の画面を表示する表示装置上のタッチパネルを用いて前記第１の画面に表示された縮小画像を特定することを特徴とする請求項１乃至５のいずれか１項に記載の画像処理装置。
【請求項８】
前記第１の画面に表示された縮小画像データに対する取捨を選択する選択手段を更に備え、
前記表示制御手段は、前記選択手段による取捨選択を終了する指示がなされた際に、
前記選択手段による取捨選択がなされていない画像が前記記憶手段に存在する場合、該取捨選択されていない画像の縮小画像を前記選択手段による取捨選択を促すメッセージと共に、前記第１の画面に表示するように制御することを特徴とする請求項１乃至７のいずれか１項に記載の画像処理装置。
【請求項９】
前記表示制御手段は、前記選択手段による取捨選択を終了する指示がなされた際に、
前記第１の画面に未だ縮小画像が表示されていない画像が前記記憶手段に存在する場合、該表示されていない画像の縮小画像を前記第１の画面に表示するように制御することを特徴とする請求項８に記載の画像処理装置。
【請求項１０】
複数の画像を記憶する記憶手段を備えた画像処理装置の制御方法であって、
前記複数の画像のそれぞれに対応する縮小画像を第１の画面に表示させる第１の表示ステップと、
前記第１の画面に表示された縮小画像に対する操作を検知した位置を用いて操作対象の前記縮小画像を特定する特定ステップと、
前記操作を検知した位置に応じて、前記特定された縮小画像に対応する画像を第２の画面に表示する位置を決定する決定ステップと、
前記特定ステップにて特定された縮小画像に対応する画像を前記第２の画面の前記決定された位置に表示させる第２の表示ステップとを有することを特徴とする画像処理方法。
【請求項１１】
前記操作を検知した縮小画像が縦画像か横画像かを判定する縦横判定ステップと、
前記第２の画面のレイアウトが縦画像又は横画像を表示可能であるかを判定する表示判定ステップとを更に備え、
前記表示判定ステップにおいて、前記特定ステップにより特定された縮小画像に対応する画像を前記第２の画面のレイアウトに表示できないと判定した場合には、前記第２の表示ステップは、前記第２の画面のレイアウトを変更して前記特定された縮小画像に対応する画像を表示させることを特徴とする請求項１０記載の画像処理方法。
【請求項１２】
複数の画像を記憶する記憶手段を備えた画像処理装置の制御プログラムであって、
前記画像処理装置を、
前記記憶手段に記憶される複数の画像のそれぞれに対応する縮小画像を第１の画面に表示させる制御手段と、
前記第１の画面に表示された縮小画像に対する操作を検知した位置を用いて操作対象の前記縮小画像を特定する特定手段と、
前記操作を検知した位置に応じて、前記特定された縮小画像に対応する画像を第２の画面に表示する位置を決定する決定手段と、
前記特定された縮小画像に対応する画像を、前記第２の画面の前記決定された位置に表示する表示制御手段として機能させることを特徴とする画像処理装置の制御プログラム。
【請求項１３】
前記画像処理装置を、
前記特定された縮小画像が縦画像か横画像かを判定する縦横判定手段と、
前記第２の画面のレイアウトが縦画像又は横画像を表示可能であるかを判定する表示判定手段として更に機能させ、
前記表示判定手段が、前記特定手段により特定された縮小画像に対応する画像を前記第２の画面のレイアウトに表示できないと判定した場合には、前記表示制御手段を、前記第２の画面のレイアウトを変更して前記特定された縮小画像に対応する画像を表示させるよう機能させることを特徴とする請求項１２記載の制御プログラム。
【請求項１４】
請求項１２又は請求項１３に記載された制御プログラムをコンピュータが読み取り可能に記憶した記録媒体。
【手続補正２】
【補正対象書類名】明細書
【補正対象項目名】発明の名称
【補正方法】変更
【補正の内容】
【発明の名称】画像処理装置および画像処理方法および制御プログラムおよび記録媒体
【手続補正３】
【補正対象書類名】明細書
【補正対象項目名】０００６
【補正方法】変更
【補正の内容】
【０００６】
本願発明は上記問題点を解決するためになされたものであり、サムネール画像を第１の画面に表示すると共に、簡単な操作でサムネール画像に対応する画像を第２の画面に表示し、効率的な写真選択を可能にする撮影画像処理システム及びこれら撮影画像処理のためのプログラムの提供を目的とする。
【手続補正４】
【補正対象書類名】明細書
【補正対象項目名】０００７
【補正方法】変更
【補正の内容】
【０００７】
本発明は、複数の画像を記憶する記憶手段と、前記記憶手段に記憶される複数の画像のそれぞれに対応する縮小画像を第１の画面に表示させる制御手段と、前記第１の画面に表示された縮小画像に対する操作を検知した位置を用いて操作対象の前記縮小画像を特定する特定手段と、前記操作を検知した位置に応じて、前記特定された縮小画像に対応する画像を第２の画面に表示する位置を決定する決定手段と、前記特定された縮小画像に対応する画像を、前記第２の画面の前記決定された位置に表示する表示制御手段とを備えることを特徴とする。
【手続補正５】
【補正対象書類名】明細書
【補正対象項目名】０００８
【補正方法】変更
【補正の内容】
【０００８】
本発明によれば、第１の画面にサムネール画像を表示し、該サムネール画像が特定されると、該特定されたサムネール画像に対応する画像を、該サムネール画像の操作位置に応じて決定された第２の画面上の位置に表示できるので、簡単な操作で第２の画面に表示される画像をサムネール表示から選択された画像に差し換えることができる。この結果、顧客をいらいらさせずに短時間で撮影及び撮影画像の確認と画像の取捨選択を行うことができる。
【手続補正６】
【補正対象書類名】明細書
【補正対象項目名】００７３
【補正方法】変更
【補正の内容】
【００７３】
そして、前頁サムネール画像は例えば図９の９００に示すように縦画像のサムネールだけであったが、次頁のサムネール画像を読込んで横画像を含むと判定した場合には、ＣＰＵ２１は、ハードディスク２８のアプリケーションプログラム中の画面レイアウト情報を読み出し、各サムネール毎の操作検知座標領域（縦画像のサムネールであれば各サムネールの縦長の長方形の中でどの座標領域部分がタッチされたら左側が選択されたと判定するか、又どの座標領域部分がタッチされたら右側が選択されたと判定するかの４つのＸＹ座標の２つの組のことで、横画像のサムネールであれば各サムネールの横長の長方形の中でどの座標領域部分がタッチされたら上側が選択されたと判定するか、又どの座標領域部分がタッチされたら下側が選択されたと判定するかの４つのＸＹ座標の組が２つづつ計算される。横画像のサムネールで高解像度ディスプレイ１０４に横位置画像４つの拡大画面を表示する場合であれば右上・右下・左上・左下がタッチされたと判定するための図１３の点線で示す扇型を特定するための扇方の中心のＸＹ座標と半径の組が４つづつ計算される。なお右上・右下・左上・左下がタッチされたと判定される領域を扇型ではなく矩形としても良く、この場合右上・右下・左上・左下がタッチされたと判定するための４つのＸＹ座標が各４組が（１つの横画像サムネールについて合計１６のＸＹ座標が）計算される。）を再計算して、図５の左側の画面のように、サムネール画像表示用ディスプレイ１０５の画面を縦画像のサムネールと横画像のサムネールが混在する画面に遷移させる。
【手続補正７】
【補正対象書類名】明細書
【補正対象項目名】０１２７
【補正方法】変更
【補正の内容】
【０１２７】
以下、図１３，図１４を参照して、図４のステップＳ３３３に示した特定画像拡大表示処理について詳細に説明する。
【手続補正８】
【補正対象書類名】明細書
【補正対象項目名】０１３５
【補正方法】変更
【補正の内容】
【０１３５】
図１４は、本発明における第３の制御処理手順の一例を示すフローチャートであり、図４のステップＳ３３３に示した特定画像拡大表示処理に対応する。なお、このフローチャートの処理は、図２に示したＣＰＵ２１がハードディスク２８又はその他の記録媒体に格納されたプログラムを読み出してＲＡＭ２２上で実行することにより実現される。即ち、図中、Ｓ５０１〜Ｓ５２８は、現像・表示処理装置１０３のＣＰＵ２１の制御の下で実行される各ステップを示す。